(57)【要約】【課題】互いに組み合う第１コネクタと第２コネクタとからなるコネクタ組立体であって、どの向きから衝撃を受けても強固に耐え得るロック機構を備える。【解決手段】プラグコネクタ１０は平面視で略矩形を有する。そしてそのプラグコネクタ１０の４つの角部それぞれに、リセプタクルコネクタ２０に係止する係止部１４が設けられている。また、リセプタクルコネクタ２０には、プラグコネクタ１０の４つの角部に対応する各位置にプラグコネクタ１０の係止部１４と嵌め合う嵌合部２４がそれぞれ設けられている。それらの嵌合部２４のそれぞれは、プラグコネクタ１０の係止部１４が設けられた角部を挟んで隣接する２辺のいずれとも交わる向き、すなわち、平面視での斜め向きに、係止部１４と嵌め合う嵌合部である。【選択図】図１
2015185310.tif 000002
【特許請求の範囲】
【請求項１】
互いに組み合う第１コネクタおよび第２コネクタからなるコネクタ組立体であって、
前記第１コネクタが、平面視で略矩形を有し、前記第２コネクタに係止する係止部が該略矩形の４つの角部それぞれに設けられたコネクタであり、
前記第２コネクタが、前記第１コネクタと組み合ったときの該第１コネクタの４つの角部それぞれに対応する各位置に、該４つの角部それぞれに設けられた前記係止部と嵌め合うことにより該係止部を係止する嵌合部がそれぞれ設けられたコネクタであり、
前記嵌合部それぞれが、前記第１コネクタの前記係止部が設けられた角部を挟んで隣接する２辺のいずれとも交わる向きに該係止部と嵌め合う嵌合部であることを特徴とするコネクタ組立体。
【請求項２】
前記第１コネクタが、前記係止部を形成する係止金具を備えたことを特徴とする請求項１記載のコネクタ組立体。
【請求項３】
前記第１コネクタが、前記４つの角部に前記係止部が形成されたハウジングを備えたことを特徴とする請求項１記載のコネクタ組立体。
【請求項４】
前記第２コネクタが前記嵌合部を形成する嵌合金具を備えたことを特徴とする請求項２又は３記載のコネクタ組立体。
【請求項５】
前記第２コネクタが、前記４つの角部に対応する各位置に前記嵌合部が形成されたハウジングを備えたことを特徴とする請求項２記載のコネクタ組立体。
【発明の詳細な説明】
【技術分野】
【０００１】
本発明は、互いに組み合う第１コネクタと第２コネクタとからなる組立体に関する。
【背景技術】
【０００２】
例えば携帯電話機やスマートフォン等には、回路基板上にフレキシブル基板（以下、「ＦＰＣ」と称する）を接続するコネクタ組立体が用いられている。そして、このコネクタ組立体には、益々の小型化、低背化が求められている。このような用途のコネクタ組立体には、小型化、低背化に加え、落下衝撃等があっても、そのコネクタ組立体を構成する２つのコネクタが確実にロックされ続けるという強固なロック機構が求められている。
【０００３】
ここで、特許文献１には、回路基板用電気コネクタが開示されている。このコネクタは平面視で略長方形を有し、その２つの長辺の両端部に近いところの合計４箇所にロック金具が備えられている。
【０００４】
このロック金具は、略長方形の長辺に備えられているため、このコネクタを一方の長辺を回転軸として回転させる向きの衝撃には強いことが推察される。一方、その略長方形の短辺を回転軸として回転させる向きの強い衝撃には耐えられないおそれがある。
【先行技術文献】
【特許文献】
【０００５】
【特許文献１】特開２０１１−２２８２６９号公報
【発明の概要】
【発明が解決しようとする課題】
【０００６】
本発明は、上記事情に鑑み、どの向きから衝撃を受けても強固に耐え得るロック機構を備えたコネクタ組立体を提供することを目的とする。
【課題を解決するための手段】
【０００７】
上記目的を達成する本発明のコネクタ組立体は、互いに組み合う第１コネクタおよび第２コネクタからなるコネクタ組立体であって、
第１コネクタが、平面視で略矩形を有し、第２コネクタに係止する係止部が略矩形の４つの角部それぞれに設けられたコネクタであり、
第２コネクタが、第１コネクタと組み合ったときの第１コネクタの４つの角部それぞれに対応する各位置に、４つの角部それぞれに設けられた係止部と嵌め合うことにより係止部を係止する嵌合部がそれぞれ設けられたコネクタであり、
第２コネクタの嵌合部それぞれが、第１コネクタの係止部が設けられた角部を挟んで隣接する２辺のいずれとも交わる向きに係止部と嵌め合う嵌合部であることを特徴とする。
【０００８】
本発明のコネクタ組立体は、第１コネクタが４つの角部に係止部を備え、第２コネクタが、第１コネクタの係止部と、いわば略矩形に対する斜めの向きに嵌め合う嵌合部を備えているため、どの向きの衝撃にも耐え得る強固なロック機構が構成される。
【０００９】
ここで、上記第１コネクタは、係止部を形成する係止金具を備えたものであってもよく、４つの角部に前記係止部が形成されたハウジングを備えたものであってもよい。
【００１０】
また、これと同様に、上記第２コネクタは、嵌合部を形成する嵌合金具を備えたものであってもよく、４つの角部に対応する各位置に前記嵌合部が形成されたハウジングを備えたものであってもよい。
【００１１】
本発明のコネクタ組立体は、上記のいずれの態様であっても、第１コネクタが４つの角部に係止部を備え、第２コネクタがその係止部と斜め向きに嵌め合う嵌合部を備えたものであり、どの向きにも強いロック機構が構成させる。
【発明の効果】
【００１２】
以上の本発明によれば、どの向きから衝撃を受けても強固に耐え得るロック機構を備えたコネクタ組立体を提供することができる。
【図面の簡単な説明】
【００１３】
【図１】本発明の第１実施形態のコネクタ組立体を構成するプラグコネクタとリセプタクルコネクタを示した斜視図である。
【図２】図１に示す第１実施形態のコネクタ組立体を構成するプラグコネクタを、図１に示した向きとは裏返しにして示した斜視図である。
【図３】図１，図２に示すプラグコネクタに備えられた係止金具を示した斜視図である。
【図４】図１に示すリセプタクルコネクタに備えられた嵌合金具を示した斜視図である。
【図５】第１実施形態のコネクタ組立体において、プラグコネクタがリセプタクルコネクタに近づいた、嵌合直前の状態を示した斜視図である。
【図６】第１実施形態のコネクタ組立体において、プラグコネクタがリセプタクルコネクタに組み合った状態を示した斜視図である。
【図７】本発明の第２実施形態のコネクタ組立体におけるプラグコネクタに備えられた係止金具を示した斜視図である。
【図８】第２実施形態における、係止金具と嵌合金具との嵌め合いの様子を示した斜視図である。
【図９】本発明の第３実施形態のコネクタ組立体における、リセプタクルコネクタに備えられた嵌合金具を示した斜視図である。
【図１０】第３実施形態における、係止金具と嵌合金具との嵌め合いの様子を示した斜視図である。
【図１１】本発明の第４実施形態のコネクタ組立体における、プラグコネクタに備えられた係止金具を示した斜視図である。
【図１２】第４実施形態における、係止金具と嵌合金具との嵌め合いの様子を示した斜視図である。
【図１３】本発明の第５実施形態のコネクタ組立体における、プラグコネクタに備えられた係止金具を示した斜視図である。
【図１４】第５実施形態における、係止金具と嵌合金具との嵌め合いの様子を示した斜視図である。である。
【図１５】本発明の第６実施形態のコネクタ組立体における、プラグコネクタに備えられた係止金具を示した斜視図である。
【図１６】本発明の第６実施形態のコネクタ組立体における、リセプタクルコネクタに備えられた嵌合金具を示した斜視図である。
【図１７】第６実施形態における、係止金具と嵌合金具との嵌め合いの様子を示した斜視図である。
【図１８】本発明の第７実施形態のコネクタ組立体における、プラコネクタに備えられた係止金具を示した斜視図である。
【図１９】第７実施形態における係止金具と嵌合金具との嵌め合いの様子を示した斜視図である。
【図２０】本発明の第８実施形態のコネクタ組立体を構成するプラグコネクタとリセプタクルコネクタを示した斜視図である。
【図２１】第８実施形態のコネクタ組立体を構成するプラグコネクタを、図２０に示した向きとは裏返しにして示した斜視図である。
【図２２】本発明の第９実施形態のコネクタ組立体を構成する、プラグコネクタとリセプタクルコネクタの嵌合直前の状態を示した斜視図である。
【図２３】第９実施形態のコネクタ組立体を構成する嵌合直前のプラグコネクタとリセプタクルコネクタを示した斜視図である。
【図２４】図２３に示す矢印Ａ−Ａに沿う断面図である。
【発明を実施するための形態】
【００１４】
以下、本発明の実施の形態を説明する。
【００１５】
図１は、本発明の第１実施形態のコネクタ組立体を構成するプラグコネクタとリセプタクルコネクタを示した斜視図である。
【００１６】
また、図２は、図１に示す第１実施形態のコネクタ組立体を構成するプラグコネクタを、図１に示した向きとは裏返しにして示した斜視図である。
【００１７】
これらプラグコネクタ１０およびリセプタクルコネクタ２０は、本発明にいう、それぞれ第１コネクタおよび第２コネクタの各一例に相当する。
【００１８】
プラグコネクタ１０は、平面視で略長方形のハウジング１１とを有し、プラグコネクタ１０の全体としても略長方形状を成している。ハウジング１１の中央には、平面視で略長方形の凹部１５が形成されている。凹部１５の底面は比較的広い平面になっており、吸着面として利用することができる。また、このプラグコネクタ１０は、ハウジング１１の略長方形の２つの長辺に沿って配列された複数のコンタクト１２を有する。これらのコンタクト１２は、不図示のＦＰＣ上の接続パッドに接続される。また、このプラグコネクタ１０の略長方形の両端には、係止金具１３が備えられている。このプラグコネクタ１０は、リセプタクルコネクタ２０に係止する係止部１４が略長方形の４つの角部それぞれに設けられている。このプラグコネクタ１０の略長方形の両端に備えられた２つの係止金具１３は、その１つずつが２つの角部の係止部１４を形成している。
【００１９】
図３は、図１，図２に示すプラグコネクタに備えられた係止金具を示した斜視図である。
【００２０】
図１，図２に示すプラグコネクタ１０には２つの係止金具１３が備えられているが、それら２つの係止金具１３は向きが異なるだけであって同一の形状の金具である。
【００２１】
図３（Ａ），（Ｂ）は、プラグコネクタ１０の、図２に示す姿勢における２つの係止金具１３それぞれの姿勢を示している。すなわち、図３（Ａ），（Ｂ）は、プラグコネクタ１０からハウジング１１及びコンタクト１２を除いた状態を示す。
【００２２】
これらの係止金具１３は、１つの係止金具１３につき２つの係止部１４を形成している。各係止部１４は、１つの係止部１４につき２本の係止片１４１を有する。これら２本の係止片１４１は、プラグコネクタ１０のハウジング１１の角を挟む２辺それぞれに沿ってその角に向かって延び、互いの先端を近接させた形状を有する。また、各係止部１４には、２本の係止片１４１に隣接して係止凹部１４２が形成されている。これら２本の係止片１４１は、このプラグコネクタ１０とリセプタクルコネクタ２０とを着脱させる際に弾性変形する。係止金具１３の底面１４５は、プラグコネクタ１０が実装されるＦＰＣに半田付けされる。また、底面１４５の一端からは、ハウジング１１に圧入される２本の圧入片１４４が延びている。
【００２３】
図１に戻ってリセプタクルコネクタ２０について説明する。
【００２４】
このリセプタクルコネクタ２０には、プラグコネクタ１０を受容する受容凹部２１１が形成されたハウジング２１を備えている。そしてこのリセプタクルコネクタ２０の、受容凹部２１１にプラグコネクタ１０が受容されたときの、プラグコネクタ１０の複数のコンタクト１２にそれぞれ対応する位置に、複数のコンタクト２２が備えられている。これら複数のコンタクト２２は、それらの一部がハウジング２１の台部２５内のキャビティに収容されると共に、不図示の回路基板上の導体パターンに半田付けされる。したがって、プラグコネクタ１０とリセプタクルコネクタ２０が組み合うと、プラグコネクタ１０が接続されたＦＰＣ上の配線とリセプタクルコネクタ２０が搭載された回路基板上の導体パターンが電気的に接続される。なお、台部２５の上面は比較的広い平面になっており、吸着面として利用することができる。
【００２５】
また、このリセプタクルコネクタ２０の受容凹部２１１の両端部には、嵌合金具２３が備えられている。
【００２６】
このリセプタクルコネクタ２０の受容凹部２１１の４つの角部、すなわち、このリセプタクルコネクタ２０とプラグコネクタ１０とが組み合ったときのプラグコネクタ１０の４つの角部それぞれに対応する各位置に、嵌合部２４が設けられている。このリセプタクルコネクタ２０の受容凹部２１１の両端に備えられた２つの嵌合金具２３は、その１つずつが２つの嵌合部２４を形成している。
【００２７】
図４は、図１に示すリセプタクルコネクタに備えられた嵌合金具を示した斜視図である。
【００２８】
図１に示すリセプタクルコネクタ２０には、２つの嵌合金具２３が備えられているが、それら２つの嵌合金具２３は向きが異なるだけであって同一の形状の金具である。図４（Ａ），（Ｂ）は、リセプタクルコネクタ２０の図１に示す姿勢における２つの嵌合金具２３の姿勢を示している。すなわち、図４（Ａ），（Ｂ）は、リセプタクルコネクタ２０からハウジング２１及びコンタクト２２を除いた状態を示す。
【００２９】
これらの嵌合金具２３は、１つの嵌合金具２３につき、２つの嵌合部２４を形成している。各嵌合部２４は、プラグコネクタ１０の係止部１３が設けられている角に面してその角を挟むプラグコネクタ１０の２つの辺の双方と交わる向きに立設した嵌合壁２４１を有し、その嵌合壁２４１の下部に、プラグコネクタ１０の係止部１３が嵌り込む嵌入凹部２４２が設けられている。嵌合金具２３の端部には、リセプタクルコネクタ２０が実装される回路基板に半田付けされる接続部２４５，２４６が設けられている。なお、各嵌合金具２３には、ハウジング２１に圧入される圧入片２４４が２個設けられている。
【００３０】
図５は、図１〜図４に示す第１実施形態のコネクタ組立体において、プラグコネクタがリセプタクルコネクタに近づいた、嵌合直前の状態を示した斜視図である。
【００３１】
また、図６は、第１実施形態のコネクタ組立体において、プラグコネクタがリセプタクルコネクタに組み合った状態を示した斜視図である。
【００３２】
この嵌合の際には、プラグコネクタ１０の係止部１４を構成する２本の係止片１４１が一旦弾性的に撓む。そして、それら２本の係止片１４１がリセプタクルコネクタ２０の嵌合部２４の嵌入凹部２４２に入り込むと、それら２本の係止片１４１はその撓みから復帰する。これにより、プラグコネクタ１０が、リセプタクルコネクタ２０に、図６に示すように組み合う。
【００３３】
ここで、前述の通り、プラグコネクタ１０の係止部１４は、図３に示すようにハウジング１１の角を挟む２つの辺それぞれに沿ってその角に向かって延び互いの先端を近接させた形状の２つの係止片１４１を有する。すなわち、これらの２つの辺のいずれとも交わる向きに突出した形状を有する。一方、この係止部１３が嵌め合わされるリセプタクルコネクタ２０の嵌合部２４は、それら２辺のいずれとも交わる向きに立設した嵌合壁２４１および嵌入凹部２４２を有する。このため、係止部１４は、嵌合部２４に、それら２辺のいずれとも交わる向きに嵌め込まれる。このようにして、どの向きからの衝撃にも強固に耐え得るロック機構を備えた、プラグコネクタ１０とリセプタクルコネクタ２０とからなるコネクタ組立体が構成されている。
【００３４】
これで、第１実施形態のコネクタ組立体の説明を終了し、以下では、第２実施形態以降の各種実施形態について説明する。以下に説明する第２実施形態以降の各種実施形態では、上述の第１実施形態等、先行して説明する実施形態との相違点を示す図のみを示して相違点のみ説明する。また、以下の各種実施形態における各図面には、上述の第１実施形態における各要素に対応する要素には、その第１実施形態における各要素に付した符号に、さらにＡ，Ｂ等のアルファベットを付加した符号を付して示し、説明を省略することがある。
【００３５】
図７は、本発明の第２実施形態のコネクタ組立体におけるプラグコネクタに備えられた係止金具を示した斜視図である。図７（Ａ），（Ｂ）は、上述の第１実施形態における係止金具を示した図３（Ａ），（Ｂ）それぞれに対応する斜視図である。
【００３６】
ここで説明する第２実施形態のコネクタ組立体の、上述した第１実施形態のコネクタ組立体との相違点は、この図７に示す係止金具のみである。したがって、ここでは、この係止金具を説明することで第２実施形態のコネクタ組立体の説明に代える。
【００３７】
上述の第１実施形態のコネクタ組立体を構成するプラグコネクタ１０の係止金具１３は、１つの係止部１４につき２本の係止片１４１を有する。これに対し、この図７に示す第２実施形態の係止金具１３Ａは、角を形成するように折り曲げられた形状の１本の係止片１４１Ａで１つの係止部１４Ａが形成されている。この係止片１４１Ａは、いわば、第１実施形態における２本の係止片１４１が互いに繋がった形状を有し、周囲が１つに繋がった係止凹部１４２Ａを形成している。
【００３８】
この場合、プラグコネクタ１０をリセプタクルコネクタ２０に嵌め合わせるときにばね性は期待できないものの、着脱を繰り返す必要のない場合は、この第２実施形態の態様で十分である。
【００３９】
図８は、第２実施形態における、係止金具と嵌合金具との嵌め合いの様子を示した斜視図である。図８（Ａ），（Ｂ）は、それぞれ、嵌合直前の状態（上述の第１実施形態における図５（Ｂ）に対応する状態）および嵌合後の状態（上述の第１実施形態における図６（Ｂ）に対応する状態）を示している。
【００４０】
この図８（Ａ），（Ｂ）に示す、第２実施形態における嵌合金具２３は、図４に示した第１実施形態における嵌合金具２３と同一の形状を有する。
【００４１】
係止金具１３Ａと嵌合金具２３に嵌め合わせると、係止金具１３Ａの係止片１４１Ａが嵌合金具２３の嵌入凹部２４２に嵌り込んで嵌合壁２４１に係止する。嵌入凹部２４２に嵌り込む方向は、上述の第１実施形態の場合と同様、プラグコネクタの平面視の略矩形に対する斜めの向きである。
【００４２】
この第２実施形態の場合、係止金具１３Ａ（プラグコネクタ）を嵌合金具２３（リセプタクルコネクタ）に嵌め合わせるときに係止金具１３Ａあるいは嵌合金具２３のばね性は期待できず、嵌合壁２４１等を無理に変形させながら嵌め合うことになる。ただし、着脱を繰り返す必要のないコネクタ組立体の場合は、この第２実施形態の態様であってもよい。
【００４３】
図９は、本発明の第３実施形態のコネクタ組立体における、リセプタクルコネクタに備えられた嵌合金具を示した斜視図である。
【００４４】
ここで説明する第３実施形態のコネクタ組立体では、プラグコネクタに備えられる係止金具としては、図７に示す第２実施形態における係止金具１３Ａと同一の係止金具が採用されている。
【００４５】
図９に示す第３実施形態における嵌合金具２３Ｂは、第１実施形態における嵌合金具２３における嵌合壁２４１が２つに分断された形状の嵌合壁２４１Ｂとなっている。嵌入凹部２４２Ｂは、第１実施形態における嵌入凹部２４２と同様である。
【００４６】
図１０は、第３実施形態における、係止金具と嵌合金具との嵌め合いの様子を示した斜視図である。図１０（Ａ），（Ｂ）は、第２実施形態における図８（Ａ），（Ｂ）と同様、それぞれ、嵌合直前の状態および嵌合後の状態を示している。
【００４７】
この図１０（Ａ），（Ｂ）に示す係止金具１３Ａは、図７に示した第２実施形態における係止金具１３Ａと同一の形状を有する。
【００４８】
係止金具１３Ａと嵌合金具２３Ｂに嵌め合わせると、係止金具１３Ａの係止片１４１Ａが嵌合金具２３Ｂの嵌入凹部２４２Ｂに嵌り込んで嵌合壁２４１Ｂに係止する。嵌入凹部２４２Ｂに嵌り込む方向は、上述の第１実施形態および第２実施形態の場合と同様、プラグコネクタの平面視の略矩形に対する斜めの向きである。
【００４９】
この第２実施形態の場合、係止金具１３Ａ（プラグコネクタ）を嵌合金具２３Ｂ（リセプタクルコネクタ）に嵌め合わせるときに、嵌合金具２３Ｂの嵌合壁２４１Ｂが弾性変形する。したがって、この第３実施形態のコネクタ組立体は、前述の第１実施形態のコネクタ組立体と同様、プラグコネクタとリセプタクルコネクタが繰り返し着脱される用途にも適合している。
【００５０】
図１１は、本発明の第４実施形態のコネクタ組立体における、プラグコネクタに備えられた係止金具を示した斜視図である。
【００５１】
ここで説明する第４実施形態のコネクタ組立体では、リセプタクルコネクタに備えられる嵌合金具は、前述の第１実施形態における嵌合金具（図４参照）と同一のものが採用されている。
【００５２】
図１１に示す第４実施形態における係止金具１３Ｃは、２つの係止部１４Ｃそれぞれに１本ずつの、係止立片１４１Ｃが設けられている。この係止片１４１Ｃは、プラグコネクタの平面視の略矩形に対する斜めの向きに立ち上がり、上端近傍に外向きに凸に折れ曲がった折曲凸部１４３Ｃが形成されている。
【００５３】
図１２は、第４実施形態における、係止金具と嵌合金具との嵌め合いの様子を示した斜視図である。図１２（Ａ），（Ｂ）は、第２実施形態における図８（Ａ），（Ｂ）および第３実施形態における図１０（Ａ），（Ｂ）と同様、それぞれ嵌合直前の状態および嵌合後の状態を示している。
【００５４】
この図１２に示す、第４実施形態における嵌合金具２３は、図４に示した第１実施形態における嵌合金具２３と同一の形状を有する。
【００５５】
係止金具１３Ｃを嵌合金具２３に嵌め合わせていくと、係止金具１３Ｃの係止立片１４１Ｃが弾性変形しながら折曲凸部１４３Ｃが嵌入凹部２４２に嵌り込む。そして、その折曲凸部１４３Ｃが嵌合壁２４１に係止される。この折曲凸部１４３Ｃが嵌入凹部２４２に嵌り込む向きは、これまでの第１〜第３実施形態の場合と同様、プラグコネクタの平面視の略矩形に対する斜めの向きである。
【００５６】
この第４実施形態のコネクタ組立体は、係止立片１４１Ｃが弾性変形するため、第１実施形態および第３実施形態のコネクタ組立体と同様、着脱を繰り返す用途にも適合している。
【００５７】
図１３は、本発明の第５実施形態のコネクタ組立体における、プラグコネクタに備えられた係止金具を示した斜視図である。
【００５８】
ここで説明する第５実施形態のコネクタ組立体では、リセプタクルコネクタに備えられる嵌合金具は、前述の第１実施形態における嵌合金具（図４参照）と同一のものが採用されている。
【００５９】
図１３に示す第５実施形態における係止金具１３Ｄは、図１１に示す第３実施形態における係止立片１４１Ｃと同様、２つの係止部１４Ｄそれぞれに１本ずつの、係止立片１４１Ｄが設けられている。この係止立片１４１Ｄは、プラグコネクタの平面視の略矩形に対する斜めの向きに立ち上がり、上端近傍に外向きに凸に突出した半球状の凸部１４３Ｄが形成されている。なお、凸部１４３Ｄは矩形状又は他の形状であってもよい。
【００６０】
図１４は、第５実施形態における、係止金具と嵌合金具との嵌め合いの様子を示した斜視図である。図１４（Ａ），（Ｂ）は、第２〜第４実施形態における図８（Ａ），（Ｂ）、図１０（Ａ），（Ｂ）および図１２（Ａ），（Ｂ）と同様、それぞれ、嵌合直前の状態および嵌合後の状態を示している。
【００６１】
この図１４に示す、第５実施形態における嵌合金具２３は、図４に示した第１実施形態における嵌合金具２３と同一の形状を有する。
【００６２】
係止金具１３Ｄを嵌合金具２３に嵌め合わせていくと、係止金具１３Ｄの係止立片１４１Ｄが弾性変形しながら凸部１４３Ｄが嵌入凹部２４２に嵌り込む。これにより、その凸部１４３Ｄが嵌合壁２４１に係止される。この凸部１４３Ｄが嵌入凹部２４２に嵌り込む向きは、これまでの第１〜第４実施形態の場合と同様、プラグコネクタの平面視の矩形に対する斜めの向きである。
【００６３】
この第５実施形態のコネクタ組立体も、上述の第４実施形態と同様、係止立片１４１Ｄが弾性変形するため、着脱の繰り返しにも強いコネクタ組立体となっている。
【００６４】
図１５は、本発明の第６実施形態のコネクタ組立体における、プラグコネクタに備えられた係止金具を示した斜視図である。
【００６５】
この第６実施形態の係止金具１３Ｅは、２つの係止部１４Ｅのそれぞれに、プラグコネクタの平面視の略矩形に対し斜めを向いた係止壁１４１Ｅを備え、その係止壁１４１Ｅにより係止凹部１４２Ｅが形成されている。
【００６６】
図１６は、本発明の第６実施形態のコネクタ組立体におけるリセプタクルコネクタに備えられた嵌合金具を示した斜視図である。
【００６７】
この第６実施形態の嵌合金具２３Ｅは、前述の第１実施形態における嵌合金具２３（図４参照）と同様、平面視でプラグコネクタの略矩形に対し斜めの嵌合壁２４１Ｅが設けられている。そしてその嵌合壁２４１Ｅには、内向きに突出した嵌合凸部２４３Ｅが設けられている。
【００６８】
図１７は、第６実施形態における、係止金具と嵌合金具との嵌め合いの様子を示した斜視図である。図１７（Ａ），（Ｂ）は、第２〜第５実施形態における図８（Ａ），（Ｂ）などと同様、それぞれ嵌合前の状態および嵌合後の状態を示している。
【００６９】
この図１７には、図１５に示す係止金具１３Ｅと図１６に示す嵌合金具２３Ｅとの嵌め合いの様子が示されている。
【００７０】
係止金具１３Ｅを嵌合金具２３Ｅに嵌め合わせると係止金具１３Ｅの係止壁１４１Ｅが嵌合金具２３Ｅの嵌入凹部２４２Ｅに嵌め込まれ、その係止壁１４１が嵌合凸部２４３Ｅに係止される。係止壁１４１Ｅが嵌入凹部２４２Ｅに嵌め込まれる向きは、これまでの各種実施形態と同様、プラグコネクタの平面視の略矩形に対する斜めの向きである。
【００７１】
この第６実施形態の場合の、前述の第２実施形態（図７，図８参照）と同様、係止金具１３Ｅ（プラグコネクタ）を嵌合金具（リセプタクルコネクタ）に嵌め合わせるときに係止金具１３Ｅあるいは嵌合金具２３Ｅのばね性は期待できない。すなわちこの第６実施形態の場合、嵌合壁２４１Ｅ等に変形させながら嵌り合うことになる。前述と同様、着脱を繰り返す必要のないコネクタ組立体の場合は、この第６実施形態の態様であってもよい。
【００７２】
図１８は、本発明の第７実施形態のコネクタ組立体における、プラグコネクタに備えられた係止金具を示した斜視図である。
【００７３】
この第７実施形態では、リセプタクルコネクタに備えられる嵌合金具は、上述の第６実施形態における嵌合金具２３Ｅ（図１６参照）と同一のものが採用される。
【００７４】
図１８に示す係止金具１３Ｆは、図１５に示す係止金具１３Ｅと比べたとき、図１５に示す係止金具１３Ｅの係止壁１４１Ｅが、中央で２つに分かれた２つの係止壁１４１Ｆとなっている点が異なる。この係止金具１３Ｆの他の点については、図１５に示す係止金具１３Ｅと同一である。
【００７５】
図１９は、第７実施形態における係止金具と嵌合金具との嵌め合いの様子を示した斜視図である。図１９（Ａ），（Ｂ）は、第６実施形態における図１７（Ａ），（Ｂ）と同様、それぞれ嵌合直前の状態および嵌合後の状態を示している。
【００７６】
この図１９には、図１８に示す係止金具１３Ｆと図１６に示す嵌合金具２３Ｅとの嵌め合いの様子が示されている。
【００７７】
係止金具１３Ｆを嵌合金具２３Ｅに嵌め合わせると係止金具１３Ｆの、２つに分かれている係止壁１４１Ｆが弾性変形しながら嵌合金具２３Ｅの嵌合凹部２４１Ｅに嵌め込まれる。そして、その係止壁１４１Ｆが嵌合凹部２４３Ｅに係止される。係止壁１４１Ｆが嵌入凹部２４２Ｅに嵌め込まれる向きは、これまでの各種実施形態と同様、プラグコネクタの平面視の略矩形に対する斜めの向きである。
【００７８】
この第６実施形態の場合の、係止金具１３Ｆ（プラグコネクタ）を嵌合金具２３Ｅ（リセプタクルコネクタ）に嵌め合わせるときに、係止金具１３Ｆの係止壁１４１Ｆが弾性変形する。したがって、この第７実施形態のコネクタ組立体は、着脱が繰り返されることがあるコネクタ組立体にも適合している。
【００７９】
ここで、これまで説明してきた第１実施形態から第７実施形態までの各種コネクタ組立体は、プラグコネクタに係止金具を備え、リセプタクルコネクタに嵌合金具を備えた例である。
【００８０】
以下では、プラグコネクタのハウジングあるいはリセプタクルコネクタのハウジングを係止部あるいは嵌合部として利用する実施形態について説明する。
【００８１】
図２０は、本発明の第８実施形態のコネクタ組立体を構成するプラグコネクタとリセプタクルコネクタを示した斜視図である。
【００８２】
また、図２１は、第８実施形態のコネクタ組立体を構成するプラグコネクタを、図２０に示した向きとは裏返しにして示した斜視図である。
【００８３】
これまでの第１〜第７実施形態のコネクタ組立体を構成するプラグコネクタには、係止金具１３〜１３Ｆが使われていて、その係止金具１３〜１３Ｆに係止部１４〜１４Ｆが設けられている。これに対し、第８実施形態のコネクタ組立体を構成する、図２０，図２１に示すプラグコネクタ１０Ｇには、ハウジング１１Ｇ自体に係止部１４Ｇが設けられている。この係止部１４Ｇは、ハウジング１１Ｇの、平面視での略矩形の４つの角にそれぞれ設けられている。そして各係止部１４Ｇには、斜め外向きの立壁部１４５Ｇと、その立壁部１４５Ｇから斜め外向きに突出した係止凸部１４６Ｇが形成されている。また、立壁部１４５Ｇと係止凸部１４６Ｇとの間には段部１４７Ｇが形成されている。
【００８４】
また、この第８実施形態におけるリセプタクルコネクタ２０Ｇには、図１６に示す第６実施形態の嵌合金具２３Ｅと同一の嵌合金具が採用されている。そして、その嵌合金具２３Ｅにより、ハウジング２１Ｇの受容凹部２１１Ｇに嵌合部２４Ｅが形成されている。
【００８５】
この第８実施形態のコネクタ組立体において、プラグコネクタ１０Ｇをリセプタクルコネクタ２０Ｇに嵌合させると、図６に示す嵌合金具２３Ｅの嵌合部２４Ｅに設けられている嵌入凹部２４２Ｅに、プラグコネクタ１０Ｇのハウジング１１Ｇの係止部１４Ｇに設けられている係止凸部１４６Ｇが嵌り込む。そして、その係止凸部１４６Ｇが嵌合凸部２４３Ｅに係止される。係止凸部１４６Ｇが嵌合凹部２４２Ｅに嵌り込む向きは、これまでの各種実施形態と同様、プラグコネクタ１０Ｇの平面視の略矩形に対する斜めの向きである。
【００８６】
この第８実施形態においても、前述の第６実施形態（図１５〜図１７参照）と同様、プラグコネクタ１０Ｇをリセプタクルコネクタ２０Ｇに嵌合させるときに、嵌合金具２３Ｅのばね性は期待できない。また、プラグコネクタ１０Ｇにおいてはハウジング１１Ｇ自体に係止部１４Ｇが設けられている。このため、この第８実施形態の場合、プラグコネクタをリセプタクルコネクタに対し繰り返し着脱する用途には不向きである。ただし、原則的に一度嵌合させればよい用途の場合は、この第８実施形態の態様であってもよい。
【００８７】
図２２は、本発明の第９実施形態のコネクタ組立体を構成するプラグコネクタとリセプタクルコネクタを示した斜視図である。
【００８８】
図２３は、図２２にも示す本実施形態の第９実施形態のコネクタ組立体を構成する嵌合直前のプラグコネクタとリセプタクルコネクタを示した斜視図である。
【００８９】
この第９実施形態で採用されているプラグコネクタ１０は、前述の第１実施形態のプラグコネクタ１０（図１，図２参照）と同一のコネクタである。したがって、このプラグコネクタ１０には、図３に示す係止金具１３が用いられ、その係止金具１３により係止部１４が形成されている。
【００９０】
一方、この第９実施形態で採用されているリセプタクルコネクタ２０Ｈは、これまでの第１〜第８実施形態のリセプタクルコネクタとは異なり、嵌合金具は用いられていない。この第９実施形態のリセプタクルコネクタ２０Ｈのハウジング２１Ｈの受容凹部２１１Ｈの４隅には、ハウジング２１Ｈ自体の形状として、受容凹部２１１Ｈの平面視での略矩形に対し斜め外向きに挟まれた形状の嵌入凹部２４８Ｈが形成されている。すなわち、この第９実施形態のリセプタクルコネクタ２０Ｈには、ハウジング２１Ｈ自体に嵌合部２４Ｈが形成されている。このリセプタクルコネクタ２０Ｈのハウジング２１Ｈ自体に設けられている嵌合部２４Ｈの嵌入凹部２４８Ｈは、前述の第１実施形態におけるリセプタクルコネクタ２０に用いられている嵌合金具２３（図４参照）の嵌入凹部２４２に代わるものである。
【００９１】
図２４は、図２３に示す矢印Ａ−Ａに沿う断面図である。
【００９２】
図２４（Ａ）は、図２３に対応する、プラグコネクタとリセプタクルコネクタの嵌合直前の状態を示している。また図２４（Ｂ）は、嵌合後の状態を示している。
【００９３】
この第９実施形態のコネクタ組立体では、プラグコネクタ１０の係止金具１３（図３参照）に設けられている係止片１４１が、リセプタクルコネクタ２０Ｈのハウジング２１Ｈ自体に設けられている嵌合部２４Ｈの嵌入凹部２４８Ｈに嵌り込む。そして、その係止片１４１がリセプタクルコネクタ２０Ｈのハウジング２１Ｈに係止される。
【００９４】
この第９実施形態の場合、嵌合にあたり、プラグコネクタ１０に使われている係止金具１３の係止片１４１が弾性変形する。このため、その意味においては、繰り返しの着脱は可能である。ただし、この第９実施形態の場合、リセプタクルコネクタ２０Ｈのハウジング２１Ｈ自体に嵌合部２４Ｈが設けられているため、着脱を繰り返すと嵌合部２４Ｈが削れるおそれがある。したがってこの第９実施形態は着脱の頻度の少ないコネクタ組立体に適した構造である。
【００９５】
以上、各種実施形態について説明したが、いずれの実施形態もプラグコネクタの４隅を斜め向きに嵌め合わせるコネクタ組立体であり、どの向きから衝撃を受けても強固に耐え得るロック機構となっている。
【００９６】
なお、係止金具及び嵌合金具は、中央で分離させて各１個の係止部及び嵌合部を有してもよい。
【符号の説明】
【００９７】
１０，１０Ｇ    プラグコネクタ
１１，２１Ｈ    ハウジング
１２    コンタクト
１３，１３Ａ，１３Ｃ，１３Ｅ，１３Ｆ    係止金具
１４，１４Ａ，１４Ｃ，１４Ｄ，１４Ｅ    係止部
２０，２０Ｇ，２０Ｈ    リセプタクルコネクタ
２３，２３Ｂ，２３Ｅ    嵌合金具
２４，２４Ｈ    嵌合部
１４１，１４１Ａ    係止片
１４１Ｃ，１４１Ｄ    係止立片
１４１Ｅ，１４１Ｆ    係止壁
１４２Ａ，１４２Ｅ    係止凹部
１４３Ｃ    折曲凸部
１４３Ｄ    凸部
１４５Ｇ    立壁部
１４６Ｇ    係止凸部
２１１，２１１Ｈ    受容凹部
２４１，２４１Ｂ，２４１Ｅ    嵌合壁
２４２，２４２Ｂ，２４２Ｅ    嵌入凹部
２４３Ｅ    嵌合凸部
２４８Ｈ    嵌入凹部
【図１】
2015185310.tif 000003
【図２】
2015185310.tif 000004
【図３】
2015185310.tif 000005
【図４】
2015185310.tif 000006
【図５】
2015185310.tif 000007
【図６】
2015185310.tif 000008
【図７】
2015185310.tif 000009
【図８】
2015185310.tif 000010
【図９】
2015185310.tif 000011
【図１０】
2015185310.tif 000012
【図１１】
2015185310.tif 000013
【図１２】
2015185310.tif 000014
【図１３】
2015185310.tif 000015
【図１４】
2015185310.tif 000016
【図１５】
2015185310.tif 000017
【図１６】
2015185310.tif 000018
【図１７】
2015185310.tif 000019
【図１８】
2015185310.tif 000020
【図１９】
2015185310.tif 000021
【図２０】
2015185310.tif 000022
【図２１】
2015185310.tif 000023
【図２２】
2015185310.tif 000024
【図２３】
2015185310.tif 000025
【図２４】
2015185310.tif 000026